(57)【特許請求の範囲】
【請求項１】
集魚灯を備えたイカ釣り漁船であって、
最も船首側に配置される釣糸の位置を最船首釣糸位置とし、最も船尾側に配置される釣糸の位置を最船尾釣糸位置とし、前記最船首釣糸位置と前記最船尾釣糸位置との間の船の長さ方向における距離を基準距離とすると、前記基準距離の中心位置を中心として、船の長さ方向に前記基準距離の６５％以内の領域を集魚灯領域とし、この集魚灯領域内にのみ前記集魚灯を配設したことを特徴とするイカ釣り漁船。
【請求項２】
前記集魚灯領域の船の長さ方向における中央部に、前記集魚灯を舷側に配設する舷側領域を設け、前記集魚灯領域のうち前記舷側領域よりも船首側及び船尾側は、前記集魚灯を船の幅方向における中心側に配設する中心側領域とすることを特徴とする請求項１記載のイカ釣り漁船。
【請求項３】
前記舷側領域は、前記基準距離の中心位置を中心として、船の長さ方向に前記集魚灯領域の３０％以内であることを特徴とする請求項２記載のイカ釣り漁船。
【請求項４】
前記舷側領域において、前記集魚灯には、傘が取り付けられていることを特徴とする請求項２又は請求項３記載のイカ釣り漁船。
【請求項５】
集魚灯を用いて釣糸によりイカを釣るイカ釣り漁法であって、
最も船首側に配置する釣糸の位置を最船首釣糸位置とし、最も船尾側に配置する釣糸の位置を最船尾釣糸位置とし、前記最船首釣糸位置と前記最船尾釣糸位置との間の船の長さ方向における距離を基準距離とすると、前記基準距離の中心位置を中心として、船の長さ方向に前記基準距離の６５％以内の領域を集魚灯領域とし、この集魚灯領域内においてのみ前記集魚灯を点灯してイカを釣ることを特徴とするイカ釣り漁法。
【請求項６】
前記集魚灯領域の船の長さ方向における中央部は舷側領域として、前記集魚灯を舷側に配設し、前記集魚灯領域のうち前記舷側領域よりも船首側及び船尾側は中心側領域として、前記集魚灯を船の幅方向における中心側に配設することを特徴とする請求項５記載のイカ釣り漁法。
【請求項７】
前記舷側領域は、前記基準距離の中心位置を中心として、船の長さ方向に前記集魚灯領域の３０％以内とすることを特徴とする請求項６記載のイカ釣り漁法。
【請求項８】
前記舷側領域では、前記集魚灯に傘を取り付けることを特徴とする請求項６又は請求項７記載のイカ釣り漁法。
【発明の詳細な説明】
【技術分野】
【０００１】
本発明は、集魚灯を用いたイカ釣り漁船及びイカ釣り漁法に関する。
【背景技術】
【０００２】
従来より、イカ釣り漁業としては、自動いか釣り機によりイカ針を海中に投入し、引き上げる時にイカを漁獲する方法が知られており、夜間の場合は集漁灯を点灯させ、光に集まるイカを漁獲している（例えば、特許文献１参照）。このように集魚灯を用いてイカ釣りを行う場合、一般に、明るくするほどイカが多く集まると考えられている。そこで、一般的には、船首から船尾までの全体にわたり集魚灯を配設して船の周り全体を明るくし、船に設置したイカ釣り機の全てについて同程度のイカを釣りあげられるようにすることが漁獲量を多くする方法と考えられている。
【先行技術文献】
【特許文献】
【０００３】
【特許文献１】一般社団法人全国いか釣り漁業協会ホームページ、「いかつり漁業とは」のページ、http://www.jasfa.or.jp/contents/squid_hand_line.html
【発明の概要】
【発明が解決しようとする課題】
【０００４】
しかしながら、一口にイカ釣り漁船といっても、大型船、中型船、小型船と船体の大きさは千差万別である。現在、集魚灯の光力は船のトン数により制限されており、５トン未満船であれば９０ｋｗ、１０トン未満船であれば１２０ｋｗ、３０トン未満船であれば１６０ｋｗ、中型船であれば２５０ｋｗである。このように、船体が大きくなるほど光力は大きくできるが、その一方で、船体が大きくなるほど舷側が海面から離れて高くなり、それにつれて集魚灯の位置も高くなってしまう。
【０００５】
その結果、船体が大きくなるほど両舷側にできる影の部分が広くなり、集魚灯により照らされて最も明るくなる海面の位置が船体から遠くなると考えられる。例えば、５トン未満船であれば、両舷側から１０ｍ程度離れた位置、１０トン未満船であれば、両舷側から１８ｍ程度離れた位置、２０トン未満船であれば、２５ｍ程度離れた位置、中型船であれば３０ｍ程度離れた位置の海面が最も明るくなると思われる。イカは最も明るくなっている場所に多く集まるので、船体が大きくなるほど、イカは船体から離れたところに集中してしまうのではなかと考えられる。
【０００６】
また、従来は、集魚灯を船首から船尾までの全体にわたり配設していたので、船の周り全体が明るくなり、イカが集中せずに分散してしまうのではないかと考えられる。すなわち、一つのイカの群れが船の近くに来ても、明るい領域が広いので、群れが広がってしまい、群れにおけるイカの密度が小さくなってしまうと考えられる。これでは、光力を大きくしても、効率よくイカを釣りあげることが難しい。
【０００７】
本発明は、このような問題に基づきなされたものであり、集魚灯を効率的に利用して、効率よくイカを釣りあげることができるイカ釣り漁船及びイカ釣り漁法を提供することを目的とする。
【課題を解決するための手段】
【０００８】
本発明のイカ釣り漁船は、集魚灯を備えたものであって、最も船首側に配置される釣糸の位置を最船首釣糸位置とし、最も船尾側に配置される釣糸の位置を最船尾釣糸位置とし、最船首釣糸位置と最船尾釣糸位置との間の船の長さ方向における距離を基準距離とすると、基準距離の中心位置を中心として、船の長さ方向に基準距離の６５％以内の領域を集魚灯領域とし、この集魚灯領域内にのみ集魚灯を配設したものである。
【０００９】
本発明のイカ釣り漁法は、集魚灯を用いて釣糸によりイカを釣るものであって、最も船首側に配置する釣糸の位置を最船首釣糸位置とし、最も船尾側に配置する釣糸の位置を最船尾釣糸位置とし、最船首釣糸位置と最船尾釣糸位置との間の船の長さ方向における距離を基準距離とすると、基準距離の中心位置を中心として、船の長さ方向に基準距離の６５％以内の領域を集魚灯領域とし、この集魚灯領域内においてのみ前記集魚灯を点灯してイカを釣るものである。
【発明の効果】
【００１０】
本発明によれば、釣糸が配置されている基準距離の中心位置を中心として、船の長さ方向に基準距離の６５％以内の集魚灯領域内においてのみ集魚灯を点灯するようにしたので、船の周りの海面の明るさを船首側及び船尾側よりも中央側において明るくすることができる。よって、船に近づいてきたイカの群れを船の中央側に集中させることができ、中央側に設置したイカ釣り機によるイカの釣り上げ量を船首側及び船尾側に設置したイカ釣り機の釣り上げ量に比べて多くすることができる。これにより、イカの群れを効率よく釣り上げることができる。
【００１１】
また、集魚灯領域の船の長さ方向における中央部を舷側領域として、集魚灯を舷側に配設するようにすれば、海面の最も明るくなる位置を船体に近づけることができる。よって、イカの群れを船体に近づけることができ、より効率よくイカを釣り上げることができる。
【００１２】
特に、舷側領域は、基準距離の中心位置を中心として、船の長さ方向に集魚灯領域の３０％以内とするようにすれば、又は、舷側領域において、集魚灯に傘を取り付けるようにすれば、船の周りの海面の明るさを中央側においてより明るくすることができ、イカを中央側により集中させることができる。
【図面の簡単な説明】
【００１３】
【図１】本発明の一実施の形態に係るイカ釣り漁船を横から見た構成を表す図である。
【図２】図１に示したイカ釣り漁船を上から見た構成を表す図である。
【発明を実施するための形態】
【００１４】
以下、本発明の実施の形態について図面を参照して詳細に説明する。
【００１５】
図１は、本発明の一実施の形態に係るイカ釣り漁船１を横から見た構成を表すものである。図２は、図１に示したイカ釣り漁船１を上から見た構成を表すものである。このイカ釣り漁船１は、例えば、船体１０に、複数のイカ釣り機２０と、複数の集魚灯３０とを備えている。
【００１６】
各イカ釣り機２０は周知の構成であり、例えば、左右両側に巻き上げドラム２１Ａを有し船体１０に固定される釣り機本体２１と、起立傾倒可能であり、傾倒させたときに舷から海に向けて斜めに突き出すように配設された流し台２２と、巻き上げドラム２１Ａから釣糸２３を案内して釣糸２３の投入及び巻き上げを円滑にするための２つの案内ローラ２４とを有している。各案内ローラ２４は、例えば、各巻き上げドラム２１Ａに対応して、流し台２２の先にそれぞれ配設されている。
【００１７】
各イカ釣り機２０は、船体１０の船首から船尾までの必要箇所に、間隔を隔てて配設される。
【００１８】
各集魚灯３０は、次のように規定される集魚灯領域３１の範囲内にのみ配設される。集魚灯領域３１は、最も船首側に配置される釣糸２３の位置を最船首釣糸位置ａ１とし、最も船尾側に配置される釣糸２３の位置を最船尾釣糸位置ａ２とし、最船首釣糸位置ａ１と最船尾釣糸位置ａ２との間の船の長さ方向における距離を基準距離ａとすると、基準距離ａの中心位置ａ３を中心として、船の長さ方向に基準距離ａの６５％以内の領域である。すなわち、基準距離ａの中心位置ａ３から船首側に基準距離ａの半分の３２．５％以内の領域、及び、基準距離ａの中心位置ａ３から船尾側についても船首側と同一の範囲内の領域である。
【００１９】
このように、このイカ釣り漁船１では、集魚灯領域３１をイカ釣り機２０が配設されている領域よりも狭く、中心側に位置させるようにすることにより、船の周りの海面の明るさを船首側及び船尾側よりも中央側において明るくするようになっている。
【００２０】
集魚灯領域３１は、船の長さ方向における中央部に、集魚灯３０を舷側に配設する舷側領域３２を設け、舷側領域３２よりも船首側及び船尾側は、集魚灯３０を船の幅方向における中心側に配設する中心側領域３３とすることが好ましい。集魚灯３０を舷側に配設することにより、海面の最も明るくなる位置を船体１０に近づけることができるからである。
【００２１】
舷側領域３２は、基準距離ａの中心位置ａ３を中心として、船の長さ方向に集魚灯領域３１の３０％以内であることが好ましい。すなわち、基準距離ａの中心位置ａ３から船首側に集魚灯領域３１の半分の１５％以内、及び、基準距離ａの中心位置ａ３から船尾側についても船首側と同一の範囲内とすることが好ましい。海面の最も明るくなる位置をある程度集中させた方がイカの群れを集中させることができると考えられるからである。
【００２２】
舷側領域３２では、集魚灯３０は、右舷側及び左舷側において、船の長さ方向の全体にわたり間隔をあけてそれぞれ設けられることが好ましい。集魚灯３０の数は、例えば、右舷側及び左舷側に３個ずつ以上設けることが好ましい。舷側領域３２においては、例えば、集魚灯３０を流し台２２に取り付けてもよく、また、各イカ釣り機２０の間に取り付けるようにしてもよい。また、舷側領域３２に配設される集魚灯３０には、傘を取り付けることが好ましい。光が広がらないように指向性を持たせ、より舷側に近い海面を照らすようにするためである。
【００２３】
中心側領域３３では、集魚灯３０は、船の幅方向における中心側に、船の長さ方向の全体にわたり間隔をあけてそれぞれ設けられることが好ましい。なお、集魚灯３０には、ＬＥＤ等、どのようなものを用いてもよい。
【００２４】
このイカ釣り漁船１では、集魚灯３０を用いて釣糸２３によりイカを釣る。例えば、巻き上げトラム２１Ａから案内ローラ２４を介して釣糸２３を海に投下する。集魚灯３０は、集魚灯領域３１の範囲内においてのみ点灯し、船の周りの海面の明るさを船首側及び船尾側よりも中央側において明るくする。また、集魚灯領域３１のうち舷側領域３２では、集魚灯３０を舷側に配設し、中心側領域３３では、集魚灯３０を船の幅方向における中心側に配設することが好ましい。これにより、船の中心側に集中して集まるイカを釣糸により釣り上げる。
【００２５】
実際に、本実施の形態で説明したように集魚灯３０を配設し、イカ釣り漁を行った。その際、イカ釣り漁船１には、１９トン型の船を用い、１３台のイカ釣り機２０を設置した。集魚灯領域３１は、基準距離ａの中心位置ａ３を中心として、基準距離ａの６５％の範囲内とし、中央部には舷側領域３２を設けた。舷側領域３２の範囲は、基準距離ａの中心位置ａ３を中心として、集魚灯領域３１の３０％の範囲内とした。その結果、左舷及び右舷の両側において、船首から３番目及び４番目に配設されたイカ釣り機２０では、他の各イカ釣り機２０に比べて、２倍以上のイカを釣り上げることができた。
【００２６】
また、集魚灯をイカ釣り漁船の船首から船尾の全体にわたり配設し、イカ釣り漁を行った時には、他のイカ釣り漁船に比べて並漁であったが、本実施の形態で説明したように集魚灯３０を配設してイカ釣り漁を行った時には、他のイカ釣り漁船に比べて大漁であった。すなわち、本実施の形態で説明したように集魚灯３０を配設することにより、効率よくイカを釣り上げることができた。
【００２７】
このように、本実施の形態によれば、釣糸２３が配置されている基準距離ａの中心位置ａ３を中心として、船の長さ方向に基準距離ａの６５％以内の集魚灯領域３１の範囲内においてのみ集魚灯３０を点灯するようにしたので、船の周りの海面の明るさを船首側及び船尾側よりも中央側において明るくすることができる。よって、船に近づいてきたイカの群れを船の中央側に集中させることができ、中央側に設置したイカ釣り機２０によるイカの釣り上げ量を船首側及び船尾側に設置したイカ釣り機の釣り上げ量に比べて多くすることができる。これにより、イカの群れを効率よく釣り上げることができる。
【００２８】
また、集魚灯領域３１の船の長さ方向における中央部を舷側領域３２として、集魚灯３０を舷側に配設するようにすれば、海面の最も明るくなる位置を船体１０に近づけることができる。よって、イカの群れを船体１０に近づけることができ、より効率よくイカを釣り上げることができる。
【００２９】
特に、舷側領域３２は、基準距離ａの中心位置ａ３を中心として、船の長さ方向に集魚灯領域３１の３０％以内とするようにすれば、又は、舷側領域３２において、集魚灯３０に傘を取り付けるようにすれば、船の周りの海面の明るさを中央側においてより明るくすることができ、イカを中央側により集中させることができる。
【００３０】
以上、実施の形態を挙げて本発明を説明したが、本発明は上記実施の形態に限定されるものではなく、種々変形可能である。例えば、上記実施の形態では、各構成要素の具体的な形について図面に示して説明したが、他の形状を有するように構成してもよい。
【産業上の利用可能性】
【００３１】
イカ釣りに用いることができる。
【符号の説明】
【００３２】
１…イカ釣り漁船、１０…船体、２０…イカ釣り機、２１…釣り機本体、２１Ａ…巻き上げトラム、２２…流し台、２３…釣糸、２４…案内ローラ、３０…集魚灯、３１…集魚灯領域、３２…舷側領域、３３…中心側領域、ａ…基準距離、ａ１…最船首釣糸位置、ａ２…最船尾釣糸位置、ａ３…基準距離の中心位置、
【要約】
【課題】集魚灯を効率的に利用して、効率よくイカを釣りあげることができるイカ釣り漁船及びイカ釣り漁法を提供する。
【解決手段】最も船首側に配置される釣糸２３の位置を最船首釣糸位置ａ１とし、最も船尾側に配置される釣糸２３の位置を最船尾釣糸位置ａ２とし、最船首釣糸位置ａ１と最船尾釣糸位置ａ２との間の船の長さ方向における距離を基準距離ａとすると、基準距離ａの中心位置ａ３を中心として、船の長さ方向に基準距離ａの６５％以内の領域を集魚灯領域３１とし、この集魚灯領域３１の範囲内にのみ集魚灯３０を配設する。
【選択図】図１【図１】
0005588082.tif 000002
【図２】
0005588082.tif 000003